(57)【要約】      （修正有）【課題】  屋外だけでなく屋内でもいろいろな場所に使用でき、丈夫で安定し設置することができる。いろいろな機能、デザイン、形状等をすることができる。【解決手段】  ソーラーライト本体１の側面に回転板２と取っ手３が装着してあることを特徴とする。回転板にモータを内蔵し、自由にソーラーライト本体を動かすことができる。またセンサー、タイマー、警報機、カメラ、防犯機器、リモコン、コンセント等と連動一体、内蔵など含め多機能な装備を設ける。【選択図】  図２
2006210304.tif 000002
【特許請求の範囲】
【請求項１】
ソーラーライト本体の側面に回転板を取り付けてあることを特徴とするソーラーライト。
【請求項２】
請求項１に記載されたソーラーライトであって、ソーラーライト本体の太陽電池部の上部にライト部を設置してある
【請求項３】
請求項１又は請求項２のいずれかに記載されたソーラーライトであって、カバーはいろいろなデザイン、形状があることを特徴とするソーラーライト。
【請求項４】
請求項１乃至請求項３のいずれかに記載されたソーラーライトであって、台座に着脱自在に取り付けていることを特徴とするソーラーライト。
【請求項５】
請求項１乃至請求項４のいずれかに記載されたソーラーライトであって、ソーラーライト本体の側面の回転板にモーターを内蔵してあることを特徴とするソーラーライト。
【請求項６】
請求項１乃至請求項５のいずれかに記載されたソーラーライトであって、ソーラーライト本体とソーラーパネルが別になる構造を特徴とするソーラーライト。
【請求項７】
請求項１乃至請求項６のいずれかに記載されたソーラーライトであって、コンセントが取り付けてあることを特徴とするソーラーライト。
【請求項８】
請求項１乃至請求項７のいずれかに記載されたソーラーライトであって、防犯機器が取り付いてあることを特徴とするソーラーライト。
【請求項９】
請求項１乃至請求項８のいずれかに記載されたソーラーライトであって、通常電源も併用、使用できることを特徴とするソーラーライト。
【発明の詳細な説明】
【技術分野】
【０００１】  本発明は、屋外だけでなく屋内でもいろいろな場所に使用でき、丈夫で安定し設置することができる。
［背景技術］【０００２】  現在、ガーデンライト、ソーラーライトは特に屋外専用のものがほとんどで、下部に台座や支柱が付いていて据え置き型がほとんどである。また、照明器の上部に太陽電池部がある構造（太陽光を上部で受けるため）がほとんどのため、照明器部、ソーラーライト等のデザイン、形状等に制約があった。また、限られたスペースを活用し、多機能化がはかれない。太陽電池と普通電源の併用ができない。
［特許文献１］  特開  ２００４−４７１１９号  公報
［発明の開示］
［発明が解決しようとする課題］【０００３】  本発明は、ソーラーライトを屋外だけでなく、屋内でもどこでも簡易に安定して設置でき、いろいろな機能、デザイン、形状等を楽しむことができるものである。
［課題を解決するための手段］【０００４】  上記課題を解決するために、本発明は、以下の手段のソーラーライトを提供する。ソーラーライト本体の側面等に回転板を取り付け、回転板には取っ手が付いてある。また、取っ手を受ける受けて設けて固定をはかる。ソーラーライト本体は回転板により上下左右自由に動かすことができる。【０００５】回転板にモーターを内臓し、自由にソーラーライト本体を動かすことができる。またセンサー、タイマー、警報機、カメラ、防犯機器、リモコン、コンセント等と連動一体、内臓等含め多目的多機能化することができる。このような構成してあることを特徴とする。
［発明の効果］【０００６】  上述したように本発明のソーラーライトは、本体の側面に回転板を取り付けることにより照明部を下にも上にもでき、左右にもでき、照明のあてかたもはばができる。デザイン、形状にも自由さが生まれる。また、電源を通常電源とと太陽電池を併用使用できるため、ソーラーライトだけでなくいろいろな機能をもった装備品をつけることもできる。また、取り外しが簡単なのでどこでも移動ができ、取っ手を持って受け手に固定させる。移動が簡単なので屋外で太陽光で充電し、本体を室内のどこにでも固定することができる。昔の蝋燭立てのようなものにもなる。防犯に効果がある。間接照明をはじめ新しいライティングにもなり、省エネ効果にもなる。太陽電池部と充電照明部を分離させることもでき、パネルの容量を大きくすることにより、照明の明るさも強くできる。
［発明を実施するための最良の形態］【０００７】  以下、本発明の実施形態について、図面を用いて詳細に説明する。
図１はソーラーライトの側面図。図２はソーラーライトに受け手を取り付けた状態の側面図。３図はソーラーライトの照明カバーに蝋燭型のカバーを付けた状態の正面図。図４はソーラーライトをベランダ手摺に取り付けた状態の側面図。図５はソーラーライトに支柱を付けた状態の側面図。図６はソーラーライトの取っ手取り付け器の側面図。図７ソーラーライトの照明カバーに花型のカバーを付けた状態の側面図。図８はソーラーライトの回転板にモーターを内臓してある形の側面図。図９はソーラーライトに防犯装置、カメラ、コンセント、電源コード、受け手等を取り付けた状態の側面図。図１０はソーラーライトのソーラーパネルと充電、照明部を分離した形の側面図。図１１はソーラーライトの本体の中に防犯装置、カメラ、コンセント、電源コード、支柱等を取り付けた状態の側面図。【０００８】  図１〜図１１に基づいて説明する。図１は、ソーラーライト本体１に回転板６と取っ手７が付いている。本体１の中に照明部２、外側に照明カバー５が、又上部にはソーラーパネル３と外枠に水抜き４が取り付けてある。【０００９】  図２は、本体１を回転板６で上下回転させ上部に照明部２にし、取っ手７を受け手８に差し込む。受け手８は壁等に固定する。【００１０】  図３は、照明カバー５のデザイン、形状は自由にできる。この場合は蝋燭型の照明カバーを取り付けてある。図４はベランダ手摺部９に本体１の取っ手７を取り付けたものである。図５は従来のソーラーライト等をソーラーライト取り付け器１０で固定したものである。図６はソーラーライト取り付け器１０の構造で、帯状の取り付け器を枠１２でベルトのように締める。そしてストッパー１３で止める。洗濯バサミ方式や他にも装着方法はいろいろできる。図７は照明カバー５の形状が花型のものである。【００１１】  図８は、回転板１４の中にモーター１４を内臓してある。センサー、タイマー等と連動もできる。図９は、受け手８に普通電源が使用でき、コンセント、防犯照明、照明、カメラ，火災、ガス報知器、防犯装置等、いろいろ多機能装備できる。【００１２】  図１０は、屋外にソーラーパネル３を固定し、充電、照明器部２を分離し、電源コード１６で結び充電をする。そして屋内で使用する。ソーラーパネル３は大きくできるので、容量の大きい照明を取り付けることができる。また、電源コード１６を延長し、直接屋内の照明部２のジャック２１に差し込める。図１１は支柱２２、取っ手７等にコンセント１５があり、本体１に防犯機器１９、火災、ガス警報機２０、カメラ１８等が装備され、照明カバー５内には電源ライト２４があり、用途に応じて併用できる。【００１３】  以上、本発明の実施形態について説明したが、上述の説明に基づいて当業者にとって種々の代替例、修正又は、変形を包含するものである。
【図面の簡単な説明】
【００１４】  ［図１］  ソーラーライトの側面図。
［図２］  ソーラーライトに受け手を取り付けた状態の側面図。
［図３］  ソーラーライトの照明カバーに蝋燭型のカバーを付けた状態の正面図。
［図４］  ソーラーライトをベランダ手摺に取り付けた状態の側面図。
［図５］  ソーラーライトに支柱を付けた状態の側面図。
［図６］  ソーラーライトの取っ手取り付け器の側面図。
［図７］  ソーラーライトの照明カバーに花型のカバーを付けた状態の側面図。
［図８］  ソーラーライトの回転板にモーターを内臓してある形の側面図。
［図９］  ソーラーライトに防犯装置、カメラ、コンセント、電源コード、受け手等を取り付けた状態の側面図。
［図１０］  ソーラーライトのソーラーパネルと充電、照明部を分離した形の側面図。
［図１１］  ソーラーライトの本体の中に防犯装置、カメラ、コンセント、電源コード、支柱等を取り付けた状態の側面図。
【符号の説明】
【００１５】  １  本体
２  照明部
３  ソーラーパネル部
４  水抜き
５  照明カバー
６  回転板
７  取っ手
８  受け手
９  ベランダ手摺部
１０  ソーラーライト取り付け器
１１  支柱留
１２  枠
１３  ストッパー
１４  モーター
１５  コンセント
１６  電源コード
１７  照明
１８  カメラ
１９  防犯装置
２０  火災、ガス警報機
２１  ジャック
２２  支柱
２３  固定板
２４  電源ライト
【図１】
2006210304.tif 000003
【図２】
2006210304.tif 000004
【図３】
2006210304.tif 000005
【図４】
2006210304.tif 000006
【図５】
2006210304.tif 000007
【図６】
2006210304.tif 000008
【図７】
2006210304.tif 000009
【図８】
2006210304.tif 000010
【図９】
2006210304.tif 000011
【図１０】
2006210304.tif 000012
【図１１】
2006210304.tif 000013